(57)【特許請求の範囲】
【請求項１】
カーボード製のマルチパックブランク（１１）によって包囲された、列をなして配列されたシガレットパック（１０）のグループを有し、シガレットパック（１０）が、列内で幅の狭い側部面を互いに接している、シガレット用マルチパックにおいて、下記の（ａ）（ｂ）（ｃ）に特徴を有するマルチパック。
（ａ）マルチパックブランク（１１）が、１つの底部壁（１３）、幅の狭い細長い２つの側部壁（１４，１５）、および、２つの端部壁（１６，１７）だけによってシガレットパック（１０）のグループを包囲し、これにより、シガレットパック（１０）のグループは、少なくとも一方の大表面エリア側、すなわち、上部側（１２）が開放されている、すなわち、マルチパックブランク（１１）によってまったく覆われていない、またはマルチパックブランク（１１）によって大部分を覆われていないこと。
（ｂ）複数個のシガレットパック（１０）は、その大表面エリアの前側（１８）が、マルチパックブランク（１１）の開放された上部側（１２）の領域に位置するように配列されていること。
（ｃ）複数個のシガレットパック（１０）とマルチパックブランク（１１）とからなるユニットは、透明な材料、すなわち、セロファンまたはプラスチックフィルムによって完全に包囲されていること。
【請求項２】
マルチパックブランク（１１）は、大表面エリアの底部壁（１３）、幅の狭い細長い両側部壁（１４，１５）、および、接着剤によって互いに接着される折り曲げタブ（２４，２５，２６）からなる両端部壁（１６，１７）を形成する点に特徴を有する請求項１記載のマルチパック。
【請求項３】
マルチパックブランク（１１）を含むシガレットパック（１０）のグループを完全に包囲する外側包装材（２２）は、底部壁（１３）と両側部壁（１４，１５）を横断して全周に亘り延出する引き裂き開放ストリップ（２３）を備える点に特徴を有する請求項１または２記載のマルチパック。
【請求項４】
少なくとも１つの側部壁（１４，１５）は、端部壁（１６，１７）に接続されることなく、さもなければ自由な上部側（１２）の領域において延出する幅の狭い境界ストリップ（２９）を備える点に特徴を有する請求項１記載のマルチパック。
【請求項５】
境界ストリップ（２９）は、シガレットパック（１０）と適合して、すなわち、輪郭を付与された境界縁部（３０）を有するように、形成されている点に特徴を有する請求項４記載のマルチパック。
【発明の詳細な説明】
【０００１】
この発明は、カーボード製のマルチパックブランクによって包囲された、列をなして配列されたシガレットパックのグループを有し、シガレットパックが、列内で幅の狭い側部面を互いに接している、シガレット用のマルチパックに関する。
【０００２】
シガレット用マルチパック、すなわち、いわゆるシガレットマルチパックは、消費者および小売業者の双方に、世界中に亘って普遍的に提供されている包装ユニットを構成している。１個のマルチパックは、通常、１０個のシガレットパックを有し、殆どの場合、各５個の２列をなして配列される。パックの２つの列は、互いに向き合って接する大表面(前部側と後部側)を有する。
【０００３】
この発明の目的は、‐複数個のシガレットパックを取り出すために‐容易な取り扱いを保証するとともに、材料消費量が比較的少なく、更に、パックの内容物がより有効に表示されることを保証するシガレット用マルチパックを提案することである。
【０００４】
この目的を達成するために、この発明のマルチパックは、下記の諸点に特徴を有する。
ａ）マルチパックブランクが、１つの底部壁、幅の狭い細長い２つの側部壁、および、２つの端部壁だけによってシガレットパックのグループを包囲し、これにより、シガレットパックのグループは、少なくとも一方の大表面エリア側、すなわち、上部側が開放されている、すなわち、マルチパックブランクによってまったく覆われていない、またはマルチパックブランクによって大部分を覆われていないこと。
ｂ）複数個のシガレットパックは、その大表面エリアの前側が、マルチパックブランクの開放された上部側の領域に位置するように配列されていること。
ｃ）複数個のシガレットパックとマルチパックブランクとからなるユニットは、透明な材料、すなわち、セロファンまたはプラスチックフィルムによって完全に包囲されていること。
【０００５】
したがって、この発明のマルチパックの場合には、マルチパックブランクは、好ましくは、大表面エリア（前）側の壁が全く存在しないか、完全に近く存在しないので、諸シガレットパックがこの領域に露出されるように設計される。これらの諸パックは、これらのパックの前表面、すなわち、特定の形状を備える可視表面が、開放されたパック側の領域に露出され、したがって、直接視認することができる。したがって、消費者はマルチパックの内容物を直接眼で見ることができる。しかしながら、外側のフィルム包装材は、マルチパックが閉じたユニットのままで残ることを保証する。
【０００６】
製造上の理由のみならず表示上の理由からも、この発明の別の態様によるマルチパックブランクは、１つの境界ストリップが、マルチパックの開放された(前)側の領域内において、好ましくは、その一方の側に設けられるように形成されることができる。この境界ストリップの形状は、シガレットパックの前側の形状および／または構造に対応させることができる。
【０００７】
この発明のシガレットマルチパックの別の細部と特徴は、添付図面に描かれた模範具体例を参照しつつ以下に特定的に説明される。
【０００８】
図面は、シガレット用マルチパック、すなわち、いわゆるシガレットマルチパックに関する。シガレットパック１０のグループは、マルチパックブランク１１によって包囲される。このマルチパックブランクは、強力ではあるが折り曲げ可能な材料、特に、（薄い）カードボードで構成される。
【０００９】
図１の模範具体例に付いては、マルチパックが、その大表面エリア側、すなわち、上部側１２が自由すなわち開放されるように設計され(図２参照)、折り曲げられる。パックの内容物‐シガレットパック１０のグループ‐が底部壁１３、２つの細長い側部壁１４、１５および２つの小表面エリアの端部壁１６、１７によって単に包囲される。シガレットパック１０は、開放上部側１２の領域においては、自由で、すなわち、覆われていない。
【００１０】
シガレットパック１０は、形成されたグループをなして、正確に言えば、２つの列をなしてマルチパックの内部すなわちマルチパックブランク１１内に配置されており、これらのうち図１に示される上側列が、上側１２の領域に見えている。列の内部において、シガレットパック１０は、それらの幅の狭い側部面を互いに接している。上側列のシガレットパックの前側１８は、上側１２を向いており、すなわち、露出しており、したがって目に見える。
【００１１】
図示の模範具体例の場合には、シガレットパック１０の前側１８は、特別に、すなわち、蓋とボックス部とに付属する湾曲した閉鎖縁部１９、２０に形成される。閉鎖縁部１９、２０は、離間し、互いい平行に延出する。更に、シガレットパックは、丸い横方向パック縁部、すなわち、丸い縁部２１を備えるように設計される。マルチパック、すなわち、マルチパックブランク１１のこの設計のために、シガレットパック１０のこの形状は、外部から自由に目で見ることができる。
【００１２】
シガレットパック１０とマルチパックブランク１１とからなるユニットは、外側包装材２２によって包囲される。外側包装材２２は、透明な、すなわち透けて見えるフィルム(セロファンまたはプラスチック)で構成される。この外側包装材２２は、マルチパックを全体に囲むことが好ましい。すなわち、それは、マルチパックをすべての側において包囲する。外側包装材２２の重なる折り曲げタブは、接着または熱シールによって既知の態様で互いに接続される。
【００１３】
マルチパックを開く目的で、外側包装材２２は、１つの開放補助手段、正確には、全周に延出する引き裂き開放ストリップ２３を備える。今の場合は、これが、細長い直方体のマルチパックの長手方向中央に設けられているので、全周に延出する引き裂き開放ストリップ２３を‐露出グリップ端部３１を援用して‐開けば、結果として、外側包装材２２の２つの(大体)均等な大きさのサブ領域が生じて、これらはパックから容易に取り外すことができる。引き裂き開放ストリップ２３は、例えば、引き裂き開放ストリップ２３が一旦取り外されてしまえば、外側包装材２２の「蓋」を取り外すことができるように、中心を外して配置してもよい。
【００１４】
端部壁１６、１７を形成するために、マルチパックブランク１１は、側部壁１４、１５の延長部に付与される内側タブ２４、２５を備える。１つの（長方形の）カバータブ２６は、底部壁１３の領域に配置される。このカバータブは、端部壁１６、１７の外側を形成して（大体）それらの全表面エリアに亘って延出する。
【００１５】
底部壁１３を側部壁１４、１５から分けるための折り曲げ線２７は、打ち抜きカット部２８を備えており、前記打ち抜きカット部は、シガレットパック１０のグループが包装されるとき折り曲げ作業の効率を向上する。
【００１６】
図３、４の模範具体例は、マルチパックの開放側、すなわち、上部側１２が一方の境界に境界ストリップ２９を有する点で上記の具体例とは異なる。この境界ストリップは、上部側１２の開放領域内においてその全長に亘って延出している。この境界ストリップ２９は、シガレットパック１０のグループが、マルチパックブランク１１によって包装されることを容易にするとともに、更に、装飾的印刷物および／または印刷情報の装着に適切である。境界ストリップ２９は、端部壁１６、１７には接続されない。境界ストリップ２９は、シガレットパック１０と向き合って、または、外側包装材２２によってその前側１８と向き合って保持される。この境界ストリップ１８は、外側包装材２２が一旦取り外されると、自由に取り外されることができる。
【００１７】
図５、６の模範具体例の場合は、特定の形状をした境界ストリップ２９、すなわち、特定の輪郭を備える境界縁部３０が設けられる。この場合は、前記境界縁部は、ほぼ波型の設計を呈し、シガレットパック１０の前側１８の設計、すなわち、閉鎖縁部１９、２０の輪郭と適合される。
【００１８】
外側包装材２２と協働するマルチパックブランク１１のおかげで、説明したマルチパックは、複数個のシガレットパックのための大きく安定性のある閉じたパックを保証する。端部壁１６、１７の折り曲げタブは、特に接着剤によって互いに接続されるので、結果として、一方の側が開放されたマルチパックの寸法安定性が保証される。
【図面の簡単な説明】
【図１】  シガレット用マルチパックの斜視図。
【図２】  図１のマルチパック用の展開マルチパックブランク。
【図３】  図１に対応して描かれたマルチパックの別の具体例。
【図４】  図３のマルチパック用の展開マルチパックブランク。
【図５】  マルチパックの第３模範具体例の斜視図。
【図６】  図５のパック用のマルチパックブランク。
【図１】
0004825391.tif 000002
【図２】
0004825391.tif 000003
【図３】
0004825391.tif 000004
【図４】
0004825391.tif 000005
【図５】
0004825391.tif 000006
【図６】
0004825391.tif 000007